(57)【要約】  還元剤の漏れをより正確に検出する。還元剤通路から排気通路へ気体の還元剤を供給する内燃機関の排気浄化装置において、還元剤の圧力を検出する圧力検出装置と、還元剤の温度を検出する温度検出装置と、温度検出装置により検出される還元剤の温度に対応する飽和蒸気圧と、圧力検出装置により検出される還元剤の圧力と、の差に応じて、還元剤が漏れているか否か判定する判定装置と、を備える。
2013076814.tif 000002
【特許請求の範囲】
【請求項１】
内燃機関の排気通路に設けられ還元剤の供給によりＮＯxを選択還元する選択還元型ＮＯx触媒と、
前記還元剤を貯蔵するタンクと、
前記内燃機関の排気通路と前記タンクとを接続する還元剤通路と、
前記還元剤通路から前記排気通路へ還元剤を供給するときに開き、還元剤の供給を停止させるときに閉じる噴射装置と、
を備え、
前記還元剤通路から前記排気通路へ気体の還元剤を供給する内燃機関の排気浄化装置において、
前記タンクから前記噴射装置までの間に設けられ、還元剤の圧力を検出する圧力検出装置と、
前記タンクから前記噴射装置までの間に設けられ、還元剤の温度を検出する温度検出装置と、
前記噴射装置が閉じているときの前記温度検出装置により検出される還元剤の温度に対応する飽和蒸気圧と、前記噴射装置が閉じているときの前記圧力検出装置により検出される還元剤の圧力と、の差に応じて、還元剤が漏れているか否か判定する判定装置と、
を備える内燃機関の排気浄化装置。
【請求項２】
前記タンク内の還元剤の量が少なくなるほど、前記飽和蒸気圧が低くなるように補正する補正部を備える請求項１に記載の内燃機関の排気浄化装置。
【請求項３】
前記タンク内に貯蔵されている還元剤を加熱する加熱装置を備え、
前記判定装置により還元剤が漏れているか否か判定する場合に、前記加熱装置は、前記タンク内の還元剤の量が少ないときは、多いときよりも、還元剤の温度を高くする請求項１または２に記載の内燃機関の排気浄化装置。
【請求項４】
前記判定装置は、前記タンク内に貯蔵されている還元剤の圧力の変化量が閾値以下のときに、前記判定を実施する請求項１から３の何れか１項に記載の内燃機関の排気浄化装置。
【発明の詳細な説明】
【技術分野】
【０００１】
本発明は、内燃機関の排気浄化装置に関する。
【背景技術】
【０００２】
特許文献１には、固体の還元剤を貯蔵しておき、該固体の還元剤を排気の熱で気化させた後に選択還元型ＮＯx触媒へ供給することが記載されている。【０００３】
特許文献２には、固体の還元剤を加熱して気化させた後に、この気体の還元剤を選択還元型ＮＯx触媒へ供給することが記載されている。さらに、還元剤の残量を、還元剤の圧力に基づいて検出することが記載されている。そして、圧力が高いほど、還元剤の残存量が多く、圧力が低いほど、還元剤の残存量が少ないと判断している。【０００４】
ところで、還元剤として気体のＮＨ３を供給する場合には、供給管などにＮＨ３が滞留することにより、該供給管が腐蝕する虞がある。そして、供給管が腐蝕すると還元剤が漏れてしまうため、早期検出が望まれる。たとえば、供給管を加圧又は減圧することにより生じる還元剤の圧力変化に基づいて、還元剤の漏れを判断することが考えられる。しかし、ポンプ等により圧力を調整する必要があるため、コストアップする虞がある。また、ポンプ等を搭載できない場合も考えられる。
【先行技術文献】
【特許文献】
【０００５】
【特許文献１】特開２０１０−１３８８８３号公報
【特許文献２】特開２００２−１５５７３２号公報
【発明の概要】
【発明が解決しようとする課題】
【０００６】
本発明は、上記したような問題点に鑑みてなされたものであり、還元剤の漏れをより正確に検出することを目的とする。
【課題を解決するための手段】
【０００７】
上記課題を達成するために本発明に係る内燃機関の排気浄化装置は、
内燃機関の排気通路に設けられ還元剤の供給によりＮＯxを選択還元する選択還元型ＮＯx触媒と、
前記還元剤を貯蔵するタンクと、
前記内燃機関の排気通路と前記タンクとを接続する還元剤通路と、
前記還元剤通路から前記排気通路へ還元剤を供給するときに開き、還元剤の供給を停止させるときに閉じる噴射装置と、
を備え、
前記還元剤通路から前記排気通路へ気体の還元剤を供給する内燃機関の排気浄化装置において、
前記タンクから前記噴射装置までの間に設けられ、還元剤の圧力を検出する圧力検出装置と、
前記タンクから前記噴射装置までの間に設けられ、還元剤の温度を検出する温度検出装置と、
前記噴射装置が閉じているときの前記温度検出装置により検出される還元剤の温度に対応する飽和蒸気圧と、前記噴射装置が閉じているときの前記圧力検出装置により検出される還元剤の圧力と、の差に応じて、還元剤が漏れているか否か判定する判定装置と、
を備える。【０００８】
タンクに貯蔵されている還元剤は、固体または液体の状態であってもよい。また、還元剤を他の物質（例えば、還元剤吸蔵合金、吸着材、吸蔵材）に吸着または吸蔵させた状態であってもよい。還元剤が固体または液体の状態で貯蔵されている場合には、噴射装置から排気通路へ還元剤を供給する前に、還元剤を気化させている。また、還元剤を他の物質に吸着または吸蔵させている場合には、噴射装置から排気通路へ還元剤を供給する前に、該他の物質から還元剤を放出させている。圧力検出装置または温度検出装置は、タンク、還元剤通路、噴射装置の何れかにおいて、圧力または温度を検出することができる。【０００９】
ここで、噴射装置が閉じられているときにおいて、還元剤の漏れがなく且つ温度が変化しなければ、十分に時間が経過した後に平衡状態となり、タンクから噴射装置の間の還元剤通路内の圧力は一定となる。このときの圧力は、飽和蒸気圧となる。そして、還元剤の飽和蒸気圧は、温度に応じて定まる。すなわち、還元剤の温度を検出すれば、還元剤の飽和蒸気圧が分かるため、還元剤に漏れがないときのタンクから噴射装置までの間の圧力が分かる。【００１０】
そして、タンク、還元剤通路、噴射装置の何れかにおいて還元剤が漏れている場合には、タンクから噴射装置までの間の圧力が低下するため、圧力検出装置により検出される圧力が、飽和蒸気圧よりも低くなる。したがって、飽和蒸気圧と、検出される圧力との差に応じて還元剤が漏れているか否か判定することができる。たとえば、飽和蒸気圧と、圧力の検出値との差が閾値以上のときに、還元剤が漏れていると判定してもよい。また、飽和蒸気圧と圧力の検出値との比に基づいて、還元剤が漏れているか否か判定してもよい。【００１１】
また、本発明においては、前記タンク内の還元剤の量が少なくなるほど、前記飽和蒸気圧が低くなるように補正する補正部を備えることができる。【００１２】
例えば、還元剤を他の物質に吸着または吸蔵させている場合には、タンク内の還元剤の量が少なくなると、還元剤の漏れがなくても、タンクから噴射装置までの間の圧力が低くなる。すなわち、平衡状態のときの圧力が低くなる。したがって、この圧力の低下に合わせて、判定の基準となる圧力を低下させる。これにより、還元剤の量が少なくなっても、還元剤が漏れているか否かをより正確に判定することができる。【００１３】
また、本発明においては、前記タンク内に貯蔵されている還元剤を加熱する加熱装置を備え、
前記判定装置により還元剤が漏れているか否か判定する場合に、前記加熱装置は、前記タンク内の還元剤の量が少ないときは、多いときよりも、還元剤の温度を高くすることができる。【００１４】
加熱装置により還元剤を加熱することにより、還元剤の温度が上昇すると共に、還元剤の圧力も上昇する。ここで、タンク内に貯蔵されている還元剤の量が少なくなると、還元剤の圧力が低下するため、漏れがあったとしても、検出装置により検出される圧力の差は小さい。そうすると、判定装置による判定精度が低くなる虞がある。これに対して、還元剤を加熱することにより、還元剤の圧力を高くすることができる。これにより、還元剤の漏れを判定するときの基準となる圧力を高くすることができる。そして、還元剤の漏れがあるときと、還元剤の漏れがないときとの圧力の差が大きくなるので、判定装置による判定精度を高くすることができる。なお、還元剤の温度は、還元剤の量が少ないほど、高くしてもよい。また、還元剤の温度は、還元剤の量が少なくなるにしたがって、段階的に高くしてもよい。【００１５】
また、本発明においては、前記判定装置は、前記タンク内に貯蔵されている還元剤の圧力の変化量が閾値以下のときに、前記判定を実施することができる。【００１６】
ここでいう閾値は、圧力が略一定であるといえる範囲をいう。すなわち、判定装置による判定を、圧力の変化がないか、又は、圧力の変化がないに等しいといえるときに実施する。ここで、噴射装置を開いて還元剤を供給すると、還元剤通路内の圧力が低下したり、圧力の脈動が起きたりする。このようなときに検出された圧力に基づいて、還元剤の漏れを判定すると、精度が低くなる虞がある。これに対して、圧力の変化量が閾値以下のときに判定を実施することで、判定精度を高めることができる。
【発明の効果】
【００１７】
本発明によれば、還元剤の漏れをより正確に検出することができる。
【図面の簡単な説明】
【００１８】
【図１】実施例１に係る内燃機関の排気浄化装置の概略構成を示す図である。
【図２】貯蔵タンクから噴射弁までの間の還元剤の温度と圧力との関係を示す図である。
【図３】実施例１に係る還元剤の漏れを判定するフローを示したフローチャートである。
【図４】平衡状態のときの貯蔵タンクから噴射弁までの間の還元剤の温度と圧力との関係を示す図である。
【図５】還元剤の残量が少ないときに還元剤の漏れを判定するフローを示したフローチャートである。
【図６】貯蔵タンクから噴射弁までの間の還元剤の温度と圧力との関係を示す図である。
【図７】還元剤の残量が少ないときに基準圧を上昇させてから還元剤の漏れを判定するフローを示したフローチャートである。
【図８】還元剤の圧力変化がないときに還元剤の漏れを判定するフローを示したフローチャートである。
【図９】実施例２に係る内燃機関の排気浄化装置の概略構成を示す図である。
【発明を実施するための形態】
【００１９】
以下、本発明に係る内燃機関の排気浄化装置の具体的な実施態様について図面に基づいて説明する。
【００２０】
＜実施例１＞
図１は、本実施例に係る内燃機関の排気浄化装置の概略構成を示す図である。図１に示す内燃機関１は、ディーゼルエンジンであっても、また、ガソリンエンジンであってもよい。
【００２１】
内燃機関１には、排気通路２が接続されている。排気通路２には、排気の流れ方向で上流側から順に、噴射弁３及び触媒４が設けられている。
【００２２】
噴射弁３は、還元剤を噴射するときに開き、還元剤の噴射を停止するときに閉じる。還元剤には、例えば、気体のアンモニアが用いられる。還元剤に何を用いるのかは、触媒４の種類に応じて決まる。そして、還元剤は、触媒４にて反応する。なお、本実施例においては噴射弁３が、本発明における噴射装置に相当する。
【００２３】
触媒４には、例えば、吸蔵還元型ＮＯx触媒、選択還元型ＮＯx触媒、酸化触媒、または三元触媒を挙げることができる。また、触媒４はパティキュレートフィルタに担持されていてもよい。また、触媒４よりも上流側または下流側にパティキュレートフィルタを備えていても良い。
【００２４】
噴射弁３には、還元剤通路３１の一端が接続されている。還元剤通路３１の他端は、固体または液体の状態で還元剤を貯蔵する貯蔵タンク３２に接続されている。なお、貯蔵タンク３２内に、還元剤を吸着または吸蔵する物質（ＮＨ３吸蔵合金、吸蔵剤、吸収剤等）を備えておき、還元剤を吸着または吸蔵した状態で貯蔵してもよい。この貯蔵タンク３２には、ヒータ３３が備わる。このヒータ３３により貯蔵タンク３２内の温度を上昇させることにより、固体または液体の還元剤が気体へ変化する。また、ヒータ３３により、還元剤を吸着または吸蔵している物質から還元剤を放出させることもできる。そして、気体の還元剤が還元剤通路３１に流出する。なお、ヒータ３３により貯蔵タンク３２内の温度を上昇させる代わりに、内燃機関１の冷却水または内燃機関１の排気により貯蔵タンク３２内の温度を上昇させてもよい。そして、本実施例においては貯蔵タンク３２が、本発明におけるタンクに相当する。また、本実施例においてはヒータ３３が、本発明における加熱装置に相当する。
【００２５】
還元剤通路３１には、圧力を検出するための圧力センサ１１と、温度を検出するための温度センサ１２と、が設けられている。圧力センサ１１および温度センサ１２は、貯蔵タンク３２から噴射弁３までの間の還元剤の圧力および温度を検出している。なお、本実施例においては圧力センサ１１が、本発明における圧力検出装置に相当する。また、本実施例においては温度センサ１２が、本発明における温度検出装置に相当する。
【００２６】
以上述べたように構成された内燃機関１には、該内燃機関１を制御するための電子制御ユニットであるＥＣＵ１０が併設されている。このＥＣＵ１０は、内燃機関１の運転条件や運転者の要求に応じて内燃機関１を制御する。
【００２７】
また、ＥＣＵ１０には、上記センサが電気配線を介して接続され、これらセンサの出力信号がＥＣＵ１０に入力されるようになっている。一方、ＥＣＵ１０には、噴射弁３が電気配線を介して接続されており、該ＥＣＵ１０により噴射弁３が制御される。
【００２８】
なお、本実施例では、還元剤としてアンモニアを用い、触媒４は選択還元型ＮＯx触媒とする。そうすると、噴射弁３から噴射されたアンモニアは、触媒４に吸着する。このアンモニアがＮＯxを選択的に還元させる。そして、触媒４にアンモニアを供給し、又は予め吸着させておき、触媒４をＮＯxが通過するときに該ＮＯxを還元させる。
【００２９】
そして、ＥＣＵ１０は、貯蔵タンク３２から噴射弁３までの間において、還元剤が外部に漏れているか否か判定する。すなわち、噴射弁３、還元剤通路３１、貯蔵タンク３２の何れかにおいて、還元剤が漏れているか否か判定する。
【００３０】
ここで、図２は、貯蔵タンク３２から噴射弁３までの間の還元剤の温度と圧力との関係を示す図である。実線は還元剤の飽和蒸気圧を示す。この飽和蒸気圧は、液体または固体の還元剤と、気体の還元剤と、が同時に存在し、平衡状態となっているときの圧力としてもよい。また、ＮＨ３吸蔵合金、吸蔵剤、または吸収剤から還元剤の出入がない状態、すなわち平衡状態となっているときの圧力としてもよい。
【００３１】
前記平衡状態のときの還元剤の圧力は、該還元剤の温度に応じて定まる。したがって、還元剤の温度がＡで示される値のときにおいて、還元剤の漏れがない場合には、還元剤の圧力はＢで示される値となる。これに対して、還元剤の漏れがある場合には、還元剤が漏れた分だけ圧力が低下する。このため、還元剤の圧力はＢで示される値よりも低い例えばＣで示される値となる。
【００３２】
したがって、検出される還元剤の圧力が、還元剤の温度に応じて定まる飽和蒸気圧よりも低い場合には、還元剤に漏れがあると判定することができる。なお、誤差の影響等を考慮して、飽和蒸気圧と、圧力の検出値との差（Ｂ−Ｃ）が閾値以上のときに、還元剤に漏れがあると判定してもよい。ここで、閾値は、還元剤が漏れているとすることのできる値の下限値である。また、温度と飽和蒸気圧との関係は、予めＥＣＵ１０に記憶しておく。
【００３３】
図３は、本実施例に係る還元剤の漏れを判定するフローを示したフローチャートである。本ルーチンは、ＥＣＵ１０により、所定の時間毎に繰り返し実行される。
【００３４】
ステップＳ１０１では、還元剤の温度が検出される。この温度は、温度センサ１２により検出される。本ステップは、還元剤の飽和蒸気圧と相関関係のある値として還元剤の温度が検出される。
【００３５】
ステップＳ１０２では、還元剤の圧力が検出される。この圧力は、圧力センサ１１により検出される。本ステップでは、還元剤の漏れと相関関係のある値として還元剤の圧力が検出される。
【００３６】
ステップＳ１０３では、ステップＳ１０１で取得される還元剤の温度に基づいて、還元剤の飽和蒸気圧が取得される。還元剤の温度と、飽和蒸気圧と、の関係は、ＥＣＵ１０に記憶されている。
【００３７】
ステップＳ１０４では、ステップＳ１０３で取得される飽和蒸気圧と、ステップＳ１０２で検出される還元剤の圧力と、の差が、閾値以上であるか否か判定される。この閾値は、還元剤に漏れがあるか否かの境の値として予め実験等により求めてＥＣＵ１０に記憶しておく。
【００３８】
ステップＳ１０４で肯定判定がなされた場合にはステップＳ１０５へ進み、還元剤に漏れがあると判定される。一方、ステップＳ１０４で否定判定がなされた場合にはステップＳ１０６へ進み、還元剤に漏れはないと判定される。なお、本実施例においてはステップＳ１０４を処理するＥＣＵ１０が、本発明における判定装置に相当する。
【００３９】
このように、飽和蒸気圧と、貯蔵タンク３２から噴射弁３までの間の還元剤の圧力と、の差に基づいて、還元剤に漏れがあるか否か判定することができる。
【００４０】
ここで、貯蔵タンク３２内における還元剤の貯蔵方法によっては、還元剤の残量の減少に応じて、前記平衡状態のときの圧力が低くなる。したがって、還元剤に漏れがあるか否か判定するときには、図４に示すように、還元剤の残量の減少と共に、判定の基準となる圧力（以下、基準圧という。）を減少させる。すなわち、飽和蒸気圧を補正する。
【００４１】
ここで、図４は、平衡状態のときの貯蔵タンク３２から噴射弁３までの間の還元剤の温度と圧力との関係を示す図である。実線は、貯蔵タンク３２内の還元剤の貯蔵量が十分に多い場合を示し、一点鎖線は、貯蔵タンク３２内の還元剤の貯蔵量が減少した場合を示している。貯蔵タンク３２内の還元剤の貯蔵量が減少するにしたがって、矢印の方向に基準圧を減少させる。
【００４２】
還元剤の残量は、例えば、還元剤を供給する前に貯蔵タンク３２内に貯蔵されている還元剤量から、過去に供給した還元剤量を減算することにより得る。還元剤の供給量は、例えば、還元剤の圧力と噴射弁５の開弁時間とから求まる単位時間当たりの還元剤供給量を積算することにより得る。
【００４３】
図５は、還元剤の残量が少ないときに還元剤の漏れを判定するフローを示したフローチャートである。本ルーチンは、ＥＣＵ１０により、所定の時間毎に繰り返し実行される。なお、前記フローと同じ処理がなされるステップについては、同じ符号を付して説明を省略する。
【００４４】
ステップＳ２０１では、還元剤の残量が検出される。還元剤の残量は、センサを取り付けて、該センサにより検出してもよい。また、還元剤の供給履歴に基づいて算出してもよい。
【００４５】
ステップＳ２０２では、ステップＳ２０１で検出される還元剤の残量に基づいて、基準圧が取得される。還元剤の残量と、基準圧と、の関係は、予め実験等により求めてＥＣＵ１０に記憶させておく。なお、本実施例においてはステップＳ２０２を処理するＥＣＵ１０が、本発明における補正部に相当する。
【００４６】
ステップＳ２０３では、ステップＳ２０２で取得される基準圧と、ステップＳ１０２で取得される還元剤の圧力と、の差が、閾値以上であるか否か判定される。この閾値は、還元剤に漏れがあるか否かの境の値として予め実験等により求めてＥＣＵ１０に記憶しておく。
【００４７】
ステップＳ２０３で肯定判定がなされた場合にはステップＳ１０５へ進み、還元剤に漏れがあると判定される。一方、ステップＳ２０３で否定判定がなされた場合にはステップＳ１０６へ進み、還元剤に漏れはないと判定される。
【００４８】
このように、基準圧と、貯蔵タンク３２から噴射弁３までの間の還元剤の圧力と、の差に基づいて、還元剤に漏れがあるか否か判定することができる。
【００４９】
前記したように、還元剤の残量が少なくなると、平衡状態のときの圧力が低下する。ここで、本実施例では、基準圧の低下の度合いが大きい場合には、還元剤の温度を上昇させることで、該還元剤の圧力を上昇させてもよい。還元剤の温度の上昇は、ヒータ３３により行われる。還元剤の圧力は、例えば、予め設定された圧力まで上昇させてもよい。また、予め設定された時間だけヒータ３３に通電してもよい。
【００５０】
図６は、貯蔵タンク３２から噴射弁３までの間の還元剤の温度と圧力との関係を示す図である。実線は、貯蔵タンク３２内の還元剤の貯蔵量が十分に多い場合を示し、一点鎖線は、貯蔵タンク３２内の還元剤の貯蔵量が少ない場合を示している。
【００５１】
図６の一点鎖線の場合において、Ｄで示される温度のときには、Ｆで示される圧力となり、このときの圧力は非常に低い。このため、還元剤に漏れがあっても、圧力の低下量が小さいので、圧力の低下が分かり難い。そうすると、このときの圧力に応じて還元剤に漏れがあるか否か判定しても、精度が低い。これに対して、還元剤の温度をＥで示される温度まで上昇させている。これに応じて、還元剤の圧力は、ＦからＧに上昇する。すなわち、還元剤の圧力が高くなるので、還元剤の漏れがあったときの圧力の低下が分かり易くなる。これにより、還元剤に漏れがあるか否かの判定の精度を高めることができる。
【００５２】
図７は、還元剤の残量が少ないときに基準圧を上昇させてから還元剤の漏れを判定するフローを示したフローチャートである。本ルーチンは、ＥＣＵ１０により、所定の時間毎に繰り返し実行される。なお、前記フローと同じ処理がなされるステップについては、同じ符号を付して説明を省略する。
【００５３】
ステップＳ３０１では、基準圧が閾値以上であるか否か判定される。ここでいう閾値は、還元剤に漏れがあるか否かの判定精度が許容範囲以上となる値として予め実験等により求めておく。
【００５４】
ステップＳ３０１で肯定判定がなされた場合にはステップＳ２０３へ進み、一方、否定判定がなされた場合にはステップＳ３０２へ進む。
【００５５】
ステップＳ３０２では、基準圧が上昇される。本ステップでは、還元剤の温度を上昇させることにより、還元剤の圧力を実際に上昇させる。これにより、基準圧を上昇させている。例えば、ヒータ３３を所定期間だけ作動させる。その後、ステップＳ１０１へ戻る。
【００５６】
このようにして、基準圧が閾値以上となるまで、還元剤がヒータ３３により加熱される。これにより、還元剤に漏れがあるか否かの判定精度を高めることができる。
【００５７】
なお、還元剤に漏れがあるか否かの判定を、還元剤の圧力が安定しているときに行うことで、判定精度を高めることができる。例えば、還元剤の圧力の変化量が閾値以下のときに判定を行ってもよい。この閾値は、還元剤の圧力の変化の影響が、還元剤の漏れの判定に及ぶことのない値として設定される。また、閾値は、還元剤の圧力に変化がないとすることのできる値として設定してもよい。例えば、還元剤の残量が多いときには、還元剤供給時の還元剤の圧力の変化は小さいため、還元剤の残量が閾値以上のときに還元剤の圧力の変化量が閾値以下になると考えてもよい。また、内燃機関１の停止時、または、触媒４に還元剤を供給する必要のないとき、さらには、噴射弁３から還元剤を供給していないときには還元剤の圧力が安定していると考えることができる。
【００５８】
図８は、還元剤の圧力変化がないときに還元剤の漏れを判定するフローを示したフローチャートである。本ルーチンは、ＥＣＵ１０により、所定の時間毎に繰り返し実行される。なお、前記フローと同じ処理がなされるステップについては、同じ符号を付して説明を省略する。
【００５９】
ステップＳ４０１では、還元剤の圧力変化値が検出される。この圧力変化値は、圧力センサ１１により検出される圧力の変化値である。例えば、所定期間における還元剤の圧力の変化量または変化率が圧力変化値として検出される。
【００６０】
ステップＳ４０２では、ステップＳ４０１で検出される圧力変化値が閾値以下であるか否か判定される。ここでいう閾値は、還元剤に漏れがあるか否かの判定精度が許容範囲以上となる値として予め実験等により求めておく。
【００６１】
ステップＳ４０１で肯定判定がなされた場合にはステップＳ１０１へ進み、一方、否定判定がなされた場合には本ルーチンを終了させる。
【００６２】
以上説明したように本実施例によれば、貯蔵タンク３２から噴射弁３までの間の還元剤の圧力に応じて、還元剤に漏れがあるか否か判定することができる。
【００６３】
＜実施例２＞
図９は、本実施例に係る内燃機関の排気浄化装置の概略構成を示す図である。主に、図１と異なる箇所について説明する。
【００６４】
本実施例では、還元剤通路３１の途中に、還元剤の圧力を調整する調整弁３４が設けられている。この調整弁３４は、圧力センサ１１および温度センサ１２よりも貯蔵タンク３２側（すなわち、上流側）に設けられる。調整弁３４は、ＥＣＵ１０により制御される。
【００６５】
また、貯蔵タンク３２には、還元剤の圧力を検出する圧力センサ１３及び還元剤の温度を検出する温度センサ１４が取り付けられている。
【００６６】
ここで、調整弁３４は、還元剤の圧力を噴射弁３から噴射するのに適した圧力まで減少させる。すなわち、調整弁３４よりも貯蔵タンク３２側では、還元剤の圧力は、飽和蒸気圧で平衡状態となるが、調整弁３４よりも噴射弁３側では、還元剤の圧力は、調整弁３４により調整された圧力となる。例えば、調整弁３４は、圧力を所定値だけ減少させる。また、調整弁３４は、圧力を所定割合だけ減少させてもよい。さらに、調整弁３４は、圧力が所定値または所定範囲内となるように、圧力を減少させてもよい。
【００６７】
そして、貯蔵タンク３２から調整弁３４までの間において還元剤に漏れがあるか否かは、圧力センサ１３及び温度センサ１４の検出値を用いて、実施例１と同様にして判定することができる。このときの基準圧は、飽和蒸気圧となる。
【００６８】
一方、調整弁３４から噴射弁３までの間において還元剤に漏れがあるか否かは、圧力センサ１１及び温度センサ１４の検出値を用いて判定する。この場合、調整弁３４よりも貯蔵タンク３２側よりも、基準圧を低くする。なお、還元剤が調整弁３４を通過するときの圧力の低下分だけ、基準圧を飽和蒸気圧から低下させる。
【００６９】
このように、調整弁３４よりも上流側及び下流側において、基準圧を変えることで、還元剤に漏れがあるか否かの判定の精度をより高めることができる。
【符号の説明】
【００７０】
１     内燃機関
２     排気通路
３     噴射弁
４     触媒
５     噴射弁
１０   ＥＣＵ
１１   圧力センサ
１２   温度センサ
１３   圧力センサ
１４   温度センサ
３１   還元剤通路
３２   貯蔵タンク
３３   ヒータ
３４   調整弁
【図１】
2013076814.tif 000003
【図２】
2013076814.tif 000004
【図３】
2013076814.tif 000005
【図４】
2013076814.tif 000006
【図５】
2013076814.tif 000007
【図６】
2013076814.tif 000008
【図７】
2013076814.tif 000009
【図８】
2013076814.tif 000010
【図９】
2013076814.tif 000011
【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
（削除）
【請求項２】
内燃機関の排気通路に設けられ還元剤の供給によりＮＯｘを選択還元する選択還元型ＮＯｘ触媒と、
前記還元剤を貯蔵するタンクと、
前記内燃機関の排気通路と前記タンクとを接続する還元剤通路と、
前記還元剤通路から前記排気通路へ還元剤を供給するときに開き、還元剤の供給を停止させるときに閉じる噴射装置と、
を備え、
前記還元剤通路から前記排気通路へ気体の還元剤を供給する内燃機関の排気浄化装置において、
前記タンクから前記噴射装置までの間に設けられ、還元剤の圧力を検出する圧力検出装置と、
前記タンクから前記噴射装置までの間に設けられ、還元剤の温度を検出する温度検出装置と、
前記噴射装置が閉じているときの前記温度検出装置により検出される還元剤の温度に対応する飽和蒸気圧と、前記噴射装置が閉じているときの前記圧力検出装置により検出される還元剤の圧力と、の差に応じて、還元剤が漏れているか否か判定する判定装置と、
前記タンク内の還元剤の量が少なくなるほど、前記飽和蒸気圧が低くなるように補正する補正部と、
を備える内燃機関の排気浄化装置。
【請求項３】
前記タンク内に貯蔵されている還元剤を加熱する加熱装置を備え、
前記判定装置により還元剤が漏れているか否か判定する場合に、前記加熱装置は、前記タンク内の還元剤の量が少ないときは、多いときよりも、還元剤の温度を高くする請求項２に記載の内燃機関の排気浄化装置。
【請求項４】
前記判定装置は、前記タンク内に貯蔵されている還元剤の圧力の変化量が閾値以下のときに、前記判定を実施する請求項２または３に記載の内燃機関の排気浄化装置。
【国際調査報告】
2013076814.tif 000012
2013076814.tif 000013